(57)【要約】      （修正有）【課題】家族や仲間うちで使いまわすようなことがあっても、撮影後の画像データの管理が行ない易い工夫等が施された撮影装置を提供する。【解決手段】レリーズ釦１０＿４７に指紋センサ１０＿４Ａを設ける。レリーズ釦１０＿４７に指を乗せて撮影を行なおうとしたときに指紋を取得して全押し時に指紋を表わす指紋データと撮影により得られた画像データとを対応づけて記録部に１０＿５３に記録メディア１０＿５４への記録を行なわせる。記録部に、指紋ごとに画像データを分けて記録させるようにして後の管理を行い易くする。【選択図】図２
2006238075.tif 000002
【特許請求の範囲】
【請求項１】
撮像素子上に被写体像を結像して画像データを生成する撮影装置において、
撮影時に必然的にいずれかの指が触れる位置に指紋センサを備えたことを特徴とする撮影装置。
【請求項２】
前記指紋センサは、押下により撮影を指示するレリーズ釦に配置されていることを特徴とする請求項１記載の撮影装置。
【請求項３】
前記指紋センサが、撮影に対応づけられたタイミングで指紋を検出するものであって、該指紋センサで検出された指紋と撮影により得られた画像データとを対応づけて記録する記録部を備えたことを特徴とする請求項１記載の撮影装置。
【請求項４】
前記指紋センサにより検出される指紋と、該指紋を有する撮影者名とをあらかじめ対応づけて登録しておく登録部を備え、前記指紋センサが、撮影に対応づけられたタイミングで指紋を検出するものであって、該指紋センサで検出された指紋に対応づけられた撮影者名と撮影により得られた画像データとを対応づけて記録する記録部を備えたことを特徴とする請求項１記載の撮影装置。
【請求項５】
この撮影装置は、撮影済の画像データに基づく画像を表示画面上に再生する再生モードを有し、
該再生モードにおいて前記指紋センサによる指紋の検出を要求して検出された指紋と一致した指紋が対応づけられて記録されている画像データに基づく画像のみ再生させる再生制御部を備えたことを特徴とする請求項１記載の撮影装置。
【請求項６】
前記指紋センサにより検出される指紋に対応づけて該指紋に対応づけられて記録された画像データの、他の撮影者への公開、非公開を設定する公開許否設定部を備えるとともに、この撮影装置は、撮影済の画像データに基づく画像を再生する再生モードを有し、
該再生モードにおいて、非公開が設定されている画像データについては、前記指紋センサによる指紋の検出を要求し該画像データに対応づけられて記録されている指紋と一致した指紋が検出された場合のみ、該画像データに基づく画像を再生させる再生制御部を備えたことを特徴とする請求項１記載の撮影装置。
【請求項７】
前記公開許否設定部は、撮影者を選んで選んだ撮影者にのみ公開することを設定するものであって、
前記再生制御部は、前記再生モードにおいて、撮影者を問わず公開することが設定されている画像データ以外の画像データについて、前記指紋センサによる指紋の検出を要求して該画像データについて公開が許可されている撮影者の指紋と一致した指紋が検出された場合にのみ、該画像データに基づく画像を再生させるものであることを特徴とする請求項６記載の撮影装置。
【発明の詳細な説明】
【技術分野】
【０００１】
本発明は、撮像素子上に被写体像を結像して画像データを生成する撮影装置に関する。
【背景技術】
【０００２】
最近、指紋センサを製作しているメーカでは、携帯電話機のような携帯機器に組み込んで使用することができる小型の指紋センサを提案している（例えば特許文献１参照）。周知の如く同じ指紋は世の中に２つとなく、指紋センサを用いた認証装置を携帯機器に組み込むようにすると、携帯機器の悪用を防止する機能を備えた携帯機器が実現される（例えば特許文献２参照）。
【０００３】
ところで、最近、デジタルカメラで撮影を行なうにあたって、より多くの撮影が行なえるようにと考えて、メモリカードの容量を大きくして一枚のメモリカード内になるべく多くの撮影画像を記録することができるようにしようという動きがある。このような動きが活発になってくると、再生機能を併せ持つデジタルカメラの使い勝手が良くなり、いままでのようにメモリカードを何枚も持って撮影に出かける必要がなくなる。
【０００４】
しかし、撮影装置としての使い勝手は良くなるものの、デジタルカメラのもう一つの機能である再生装置側から見るとメモリカード内に記録されている画像の数が多くなり過ぎて一つ一つの画像を整理して管理するのが少々大変になってくる。
【０００５】
そこで、このような問題に対処するため、撮影時に、撮影日時や撮影場所などと画像データとを対応づけておいて日付ごとに分類してメモリカードに記録するようにしたり、場所ごとに分類して記録するようにしたりしておいて、撮影後の画像データの管理を行ないやすくしようとしているデジタルカメラもある（例えば特許文献３参照）。
【０００６】
しかしながら、デジタルカメラなどの撮影装置は、家族や仲間同士で使いまわすことが多く、撮影した人がいつも同じ人であるとは限らない。家族や仲間同士で使いまわすような状況にあってしかも上記のような大容量のメモリカードをデジタルカメラに装填してそのデジタルカメラで撮影を行なうようになると、メモリカード内に家族や仲間それぞれの人が撮影した画像が混在して記録されることとなる。そうなると、上記特許文献３の技術を用いて撮影日時や撮影場所ごとに撮影画像を分類したとしても、撮影後の画像データの管理が行ない易くなるとは言い難い。また、このように複数の人が使いまわす撮影装置においては、個々のユーザがあたかも自分専用の撮影装置であるように感じる工夫、言い換えれば個々のユーザのプライバシーを守る工夫を凝らすことが望まれる。
【特許文献１】特開２０００−６９１５４号公報
【特許文献２】特開２００４−１５７５９８号公報
【特許文献３】特開２００１−２２８５２８号公報
【発明の開示】
【発明が解決しようとする課題】
【０００７】
本発明は、上記事情に鑑み、家族や仲間うちで使いまわすようなことがあっても、撮影後の画像データの管理が行ない易い工夫等が施された撮影装置を提供することを目的とする。
【課題を解決するための手段】
【０００８】
上記目的を達成する本発明の撮影装置は、撮像素子上に被写体像を結像して画像データを生成する撮影装置において、
撮影時に必然的にいずれかの指が触れる位置に指紋センサを備えたことを特徴とする。
【０００９】
上記本発明の撮影装置によれば、撮影時に必然的にいずれかの指が触れる位置に指紋センサが設けられているため、撮影時に必ずその指紋センサによって撮影者の指紋が検出される。
【００１０】
上記指紋センサにより撮影者の指紋が必ず検出されるということになると、その指紋を持つ撮影者ごとに画像データが分類され分類された画像データが整然と記録媒体に記録される。
【００１１】
このように撮影者ごとの指紋ごとに画像データが分類されて記録媒体に画像データそれぞれが記録されるようになると、家族や仲間うちで使いまわしたとしても撮影者がすぐに識別されるようになって撮影後の画像データの管理が行ない易くなる。また、再生装置に同じ指紋センサを設けておけば、記録媒体から画像データを再生するときに指紋の照合を行なって撮影した本人であると認証されたときにのみ再生表示を行なうような構成に拡張することもできる。
【００１２】
そうするとこの撮影装置を使いまわすにあたって、個々のユーザにあたかもこの撮影装置が自分専用のものであるかのように感じさせることができる。さらに、この撮影装置を使用することができる人の指紋を登録しておくようなことを行なえば、登録された人以外にこの撮影装置を使用させないようにすることもできる。
【００１３】
すなわち、家族や仲間うちで使いまわすようなことがあっても、撮影後の画像データの管理が行ない易い工夫等が施された撮影装置が実現される。
【００１４】
ここで、上記指紋センサは、押下により撮影を指示するレリーズ釦に配置されていることが好ましい。
【００１５】
そうすると、指紋センサがレリーズ釦に配置されているため、そのレリーズ釦に触れる指の指紋が撮影時に検出される。大抵レリーズ釦の操作は同じ指で行なわれるため、レリーズ釦を操作する指の指紋を持つ撮影者ごとに画像データが分類される。
【００１６】
ここで、上記指紋センサが、撮影に対応づけられたタイミングで指紋を検出するものであって、その指紋センサで検出された指紋と撮影により得られた画像データとを対応づけて記録する記録部を備えた態様であることが好ましい。
【００１７】
上記態様であると、撮影に対応づけられたタイミングで指紋が検出されるため、必ず撮影者の指紋と画像データとが対応づけられて記録される。
【００１８】
すなわち、個々にＩＤ番号を付けて管理するのと同様、指紋ごとに管理を行なうことができるようになる。
【００１９】
また、上記指紋センサにより検出される指紋と、その指紋を有する撮影者名とをあらかじめ対応づけて登録しておく登録部を備え、上記指紋センサが、撮影に対応づけられたタイミングで指紋を検出するものであって、その指紋センサで検出された指紋に対応づけられた撮影者名と撮影により得られた画像データとを対応づけて記録する記録部を備えた態様であることが好ましい。
【００２０】
上記態様であると、上記登録部に予め登録されている人の指紋が検出されたときには自動的にその指紋を有する撮影者名と画像データとが対応づけられて記録される。
【００２１】
このように撮影者名と画像データとが対応づけられると、撮影者名をフォルダとするファイリングシステムを構成することができるようにもなる。このようなファイリングシステムが構成されると、検索システムなどを構築することも容易であるので画像データを管理する上においては効率化が図れる。
【００２２】
さらに、この撮影装置は、撮影済の画像データに基づく画像を表示画面上に再生する再生モードを有し、
その再生モードにおいて上記指紋センサによる指紋の検出を要求して検出された指紋と一致した指紋が対応づけられて記録されている画像データに基づく画像のみ再生させる再生制御部を備えた態様であることが好ましい。
【００２３】
上記態様であると、再生モードにおいて、上記指紋センサにより検出された指紋と一致した指紋が対応づけられた記録されていない限り、画像データに基づく画像の再生が行なわれない。そうすると撮影者以外の人の閲覧が禁止されるようになってこの撮影装置で撮影した画像データに対しての秘匿性が高められる。すなわち、多くの人で使いまわすようなことがあっても個々のユーザのプライバシーが守られるようになる。
【００２４】
また、上記指紋センサにより検出される指紋に対応づけてその指紋に対応づけられて記録された画像データの、他の撮影者への公開、非公開を設定する公開許否設定部を備えるとともに、この撮影装置は、撮影済の画像データに基づく画像を再生する再生モードを有し、
その再生モードにおいて、非公開が設定されている画像データについては、上記指紋センサによる指紋の検出を要求し該画像データに対応づけられて記録されている指紋と一致した指紋が検出された場合のみ、その画像データに基づく画像を再生させる再生制御部を備えた態様であることが好ましい。
【００２５】
上記態様であると、撮影者に加えて上記公開許否設定部によって他の撮影者への公開側に設定された人の指紋が検出されたときにも再生が行なわれようになって撮影者以外の人であっても、選ばれた人つまり予め公開が設定された人に対しては閲覧が許可される。
【００２６】
このようにしておくと、自分以外の人であっても特定の人に画像を見せるようなことがができるようになる。
【００２７】
また、上記公開許否設定部は、撮影者を選んで選んだ撮影者にのみ公開することを設定するものであって、
上記再生制御部は、上記再生モードにおいて、撮影者を問わず公開することが設定されている画像データ以外の画像データについて、上記指紋センサによる指紋の検出を要求してその画像データについて公開が許可されている撮影者の指紋と一致した指紋が検出された場合にのみ、その画像データに基づく画像を再生させる態様であることが好ましい。
【００２８】
上記態様であると、家族や仲間個々に閲覧許可を与えることができるため、見せても良い人にのみ画像を見せることができるようになる。その結果、自分が撮影した画像の他への流出や悪用などが防止される。
【発明の効果】
【００２９】
以上、説明したように、家族や仲間うちで使いまわすようなことがあっても、撮影後の画像データの管理が行ない易い工夫等が施された撮影装置が実現される。
【発明を実施するための最良の形態】
【００３０】
以下、本発明の実施の形態について図を参照して構成を説明する。
【００３１】
図１は、本発明の撮影装置の一実施形態であるデジタルカメラ１０を斜め上から見た外観斜視図である。図１（ａ）には、デジタルカメラ１０の正面を斜め上から見た図が示されており、図１（ｂ）には、デジタルカメラ１０の背面を斜め上から見た図が示されている。また、図１（ｃ）には、レリーズボタンに配備されている指紋センサの構成が示されている。
【００３２】
図１（ａ）に示すデジタルカメラ１０の前面中央部には、光学ズームレンズである撮影レンズ１０＿１ａを内部に備えたズーム鏡胴１０＿１が備えられている。そのズーム鏡胴１０＿１の上方には、被写界輝度が暗い場合にフラッシュ光を被写体に向けて照射するためのフラッシュ発光窓１０＿２が設けられている。またそのフラッシュ発光窓１０＿２の横には背面側にある光学式ファインダ接眼窓（後述する）と対となる光学式ファインダ対物窓１０＿３が設けられている。
【００３３】
また、デジタルカメラ１０上面には、レリーズボタン１０＿４が配備されている。そのレリーズボタン１０＿４内には図１（ｃ）に示すような指紋センサ１０＿４Ａが配備されている。ここでは、特許文献１に記載の指紋センサを用いて、レリーズボタン１０＿４の押下受け部１０＿４０を透明な部材で構成しておいて、光源１０＿４Ｄから投光された光を指で反射させてその反射光を指紋センサ１０＿４Ａに受光させることにより指紋センサに指紋を読み取らせるようにしている。本実施形態のデジタルカメラ１０ではこの指紋センサ１０＿４Ａを用いてあらかじめ指紋を検出してその指紋と撮影者名とを結びつけて登録するようにしておいて、撮影時に検出した指紋とその登録した指紋とを照合して撮影者名も検索用のキーワードとして指紋および画像データともども記録することができるようにしている。
【００３４】
なお、このような指紋センサにはいろいろなタイプのものがあり、特許文献２に記載の容量センサアレイを用いたものであっても良い。いずれにしても指紋の検出を精度良く行なうことができるものであった方が良い。
【００３５】
また、図１（ｂ）に示すように、デジタルカメラ１０の背面上部には、光学式ファインダ接眼窓１０＿５と、撮影準備完了等に点灯したり撮影中に点滅したりするファインダランプ１０＿６と、撮影モードと再生モードを切り換えるモードスイッチ１０＿７と、押下することにより広角側（ワイド側）にズームアップしたり押下することにより望遠側（テレ側）にズームアップするズームボタン１０＿８などが配備されている。
【００３６】
また、上記ズームボタン１０＿８の下側には、メニュー／ＯＫボタン１０＿９と、ＤＩＳＰボタン１０＿１０と、ＢＡＣＫボタン１０＿１１とが備えられている。このメニュー／ＯＫボタン１０＿９は、撮影時や再生時における各種のメニューを表示したり、選択されたメニューを決定するためのボタンである。また上記ＤＩＳＰボタン１０＿１０は、ボタン横の液晶モニタ１０＿３０１に表示された画面の状態を切り換えるためのボタンであり、例えば撮影時に液晶モニタ１０＿３０１の表示をオン，オフしたり、再生時に文字表示をオン，オフしたりする。またＢＡＣＫボタン１０＿１１は、ＭＥＮＵ／ＯＫボタン１０＿９等による操作状態を１つ前に戻したり取り消したりするためのボタンとなる。
【００３７】
図２は、図１に示すデジタルカメラ１０の回路構成を示すブロック図である。
【００３８】
このデジタルカメラ１０は、ＣＰＵ１０＿４７によって統括的に制御されており、この例のＣＰＵ１０＿４７はプログラムメモリ１０＿４７１を内蔵するものであり、外部に登録用データとなる撮影者名を表わすデータなどを記憶しておく不揮発性のメモリ１０＿４７２を有するものである。
【００３９】
本実施形態のデジタルカメラ１０では、撮影前にレリーズボタン１０＿４の操作部位に設けられた指紋センサ１０＿４Ａを用いて指紋の登録を行なうようにしており、操作により上記撮影者名と指紋との対応づけが行なわれたら、その対応づけが行なわれた撮影者名と指紋データとの双方を１セットにしてそのままメモリ１０＿４７２に登録するようにしている。このように指紋と撮影者名とを対応づけて登録しておくと、撮影時に指紋の検出が行なわれてＣＰＵ１０＿４７が指紋を取得したときに、その取得した指紋を持つ撮影者名ごとに画像データを分類することができるようになる。
【００４０】
この例においてはＣＰＵ１０＿４７の入力ポートに指紋センサ１０＿４Ａとレリーズ釦１０＿４の２つの接点１０＿４Ｂ，１０＿４Ｃとをそれぞれ接続しておいて、撮影者の指がレリーズボタン１０＿４に乗せられたとき、半押しされたとき、全押しされたときにそれぞれ状態の変化をＣＰＵ１０＿４７が検知して適宜処理を実行するようにしている。
【００４１】
ここで、レリーズボタン１０＿４の押操作に応じた処理を説明する前に、このデジタルカメラの回路構成を画像信号の流れに沿って簡単に説明しておく。
【００４２】
図２には撮像素子１０＿４１以降の回路を働かせるために必要な撮影レンズも図示されており、その撮影レンズがどのようなものであるかを示すため、その撮影レンズの主要な構成要素であるズームレンズ１０＿１ａ１とフォーカスレンズ１０＿１ａ２とが図示されている。これらのレンズを含む撮影レンズ１０＿１ａにより後段のＣＣＤ１０＿４１に被写体光を結像させてそのＣＣＤ１０＿４１に被写体光を表わす画像信号の生成を行なわせている。
【００４３】
以降、ＣＣＤ１０＿４１にどのように画像信号を生成させ、またどのように生成した画像信号を後段の回路へと伝達していくかを説明していく。
【００４４】
まず、電源が投入されモードスイッチ１０＿７が撮影モード側にあったときに液晶モニタ１０＿３０１上に表示されるスルー画を表わす画像信号の流れを説明する。
【００４５】
ＣＣＤ１０＿４１にスルー画用の画像信号の生成を行なわせるにあたっては、後述するＣＰＵ１０＿４７の制御の基、図示しないタイミングジェネレータに露光開始信号および露光終了信号を所定の周期で繰り返しＣＣＤ１０＿４１に供給させることによりＣＣＤ１０＿４１にスルー画を表わす画像信号の生成を所定の周期ごとに行なわせている。このタイミングジェネレータ（図示せず）からの露光終了信号に応じてＣＣＤ１０＿４１での露光を終了させた後、ほぼ同時に露光を終了させた、スルー画を表わす画像信号（以降ＲＧＢ信号）をＣＣＤ１０＿４１から出力させている。
【００４６】
このようにしてＡ／Ｄ変換回路１０＿４２にスルー画用のＲＧＢ信号が出力されてきたら、Ａ／Ｄ変換回路１０＿４２によりアナログのＲＧＢ信号がデジタルのＲＧＢ信号に変換される。そうしたらデジタルのＲＧＢ信号が後段の画像入力コントローラ１０＿４３によりバスライン１０＿１００に導かれる。
【００４７】
この画像入力コントローラ１０＿４３によりバスライン１０＿１００に導かれた、スルー画用のデジタルのＲＧＢ信号は画像信号処理回路１０＿４４に供給され、この画像信号処理回路１０＿４４でデジタルのＲＧＢ信号からデジタルのＹＣ信号に変換される。その画像信号処理回路１０＿４４で変換されたＹＣ信号が表示部１０＿３０の駆動制御部１０＿３００に供給され表示部１０＿３０の液晶モニタ１０＿３０１上にＹＣ信号に基づく画像が表示される。このＹＣ信号は、所定の周期ごとにＣＣＤ１０＿４１で生成されるものであるから、液晶モニター１０＿３０１上には所定の周期ごとにＹＣ信号に基づく画像が切り替えられて表示されるようになる。このようにしておくと液晶モニタ１０＿３０１上に撮影レンズ１０＿１ａが向けられた方向の被写体がそのままスルー画として表示される。
【００４８】
つまり、光学ファインダを覗かずに液晶モニタ１０＿３０１をファインダ代わりに視認する様にしてもシャッタチャンスにレリーズボタン１０＿４を押下することにより撮影が行なわれるようになる。
【００４９】
ここで、スルー画を見てシャッタチャンスに撮影を行なおうとしてレリーズボタン１０＿４に指が乗せられるときに、まず指紋センサ１０＿４Ａにより指紋が検出され検出された指紋を表わす指紋データがＣＰＵ１０＿４７により取得されて指紋データが一旦メモリ１０＿４７２に記憶される。
【００５０】
その状態からレリーズボタン１０＿４の押操作が進み、レリーズボタン１０＿４が半押し状態になると一方のスイッチ（以降第１の接点という）１０＿４Ｂが接続されてＣＰＵ１０＿４７によって半押し状態が検知され、全押し操作されると他方のスイッチ１０＿４Ｃ（以降第２の接点という）も接続されて全押しされたことがＣＰＵ１０＿４７によって検知される。
【００５１】
ＣＰＵ１０＿４７は、半押しを検知したときにＡＥ検出回路１０＿５０およびＡＦ検出回路１０＿５１それぞれに所定の処理を行なわせて、全押しを検知したときにタイミングジェネレータ（図示せず）にシャッタスピードに応じた露光開始信号および露光終了信号をＣＣＤ１０＿４１に向けて出力させる。
【００５２】
上記ＡＥ検出回路１０＿５０には露出設定に必要な輝度の検出を行なわせていて、このＡＥ検出回路１０＿５０での検出結果に応じてＣＰＵ１＿４７は図示しない絞りの開口径を調節したり全押し時にフラッシュ発光装置１０＿２０にフラッシュ光の発光を行なわせたりしている。
【００５３】
また上記ＡＦ検出回路１０＿５１には、ＣＰＵ１０＿４７の制御の基、モータドライバ１０＿４９に指示してフォーカスレンズ１０＿１ａ２を最至近点から最遠点まで移動させているときの、途中の複数の位置それぞれで被写体コントラストの検出を行なわせて各位置で検出された被写体コントラストのピークを合焦点とするような処理を行なわせている。
【００５４】
このようにして全押し時にＣＣＤ１０＿４１に結像させていた画像を表わす画像信号をＣＣＤ１０＿４１に出力させた後、Ａ／Ｄ変換回路１０＿４２によりデジタル信号に変換されたＲＧＢ信号が画像入力コントローラ１０＿４３によってバスライン１０＿１００に導かれる。
【００５５】
このバスライン１０＿１００に導かれたＲＧＢ信号は一旦メモリ（ＳＤＲＡＭ）１０＿５２にすべて記憶され、その後、メモリ１０＿５２から読み出されて画像信号処理回路１０＿４４に供給される。この画像信号処理回路１０＿４４によってＲＧＢ信号がＹＣ信号に変換され、変換されたＹＣ信号が今度は圧縮処理回路１０＿４４に供給され、圧縮処理回路１＿４４でＪＰＥＧ圧縮される。さらにそのＪＰＥＧ圧縮されたＹＣ信号が記録部に供給され、記録部によって画像データとともに圧縮情報などのヘッダ情報が画像ファイル（Ｅｘｉｆファイル）となって記録メディア１０＿５４に記録される。なお、ここではＹＣ信号に変換された画像データを一旦ＳＤＲＡＭ１０＿５２に記憶しておいて、記録するか否かをユーザに決めさせるためのプレビュー画面を液晶モニタ１０＿３０１上に表示するようにもしている。このようにしておくと、失敗撮影を記録メディアに記録した後、ユーザに消去操作を行なわせるようなことがない。
【００５６】
さらに、この実施形態では、ＣＰＵ１０＿４７が、全押しタイミングで外部メモリ１０＿４７２に一旦記憶しておいた指紋を表わす指紋データと撮影者名を表わすデータとをバス１０＿１００を通して記録部１０＿５３に転送して、記録部１０＿５３に、画像データとヘッダとからなる画像ファイル（Ｅｘｉｆ）を記録させるときにヘッダにその指紋データと撮影者名とを追加記録させるようにしている。
【００５７】
図３は、指紋センサ１０＿４Ａで検出された指紋を表わす指紋データとＣＣＤ１０＿４１で生成された画像データとの双方のデータの流れを説明する図である。
【００５８】
図３に示すように、図２に示すＣＰＵ１０＿４７は、撮影時にレリーズボタン１０＿４に設けられている指紋センサ１０＿４Ａに撮影者の指紋を検出させた後、その指紋を表わす指紋データを取得して取得した指紋データを、レリーズボタン１０＿４の全押し（第１の接点１０＿４Ｂと第２の接点１０＿４Ｃとの双方ともオン）時にバス１０＿１００を経由して記録部１０＿５３に供給するとともに、ＣＣＤ１０＿４１に生成させた画像データを各処理部を経由して記録部１０＿５３に供給してその記録部１０＿５３に双方のデータを対応づけさせて記録メディア１０＿５４に記録させている。
【００５９】
つまり、図２に示すＣＰＵ１０＿４７が、レリーズボタン１０＿４に配備されている指紋センサ１０＿４Ａで検出した指紋を表わす指紋データを取得し、さらにレリーズボタン１０＿４の押下操作が進められて第１の接点１０＿４Ｂと第２の接点１０＿４Ｃとの双方ともオンになったことを受けて、記録部１０＿５３に、ＪＰＥＧ圧縮された画像データを画像ファイルとして記録メディア１０＿５４に記録させるとともにその画像ファイルのヘッダに指紋データと撮影者名とを追加記録させている。
【００６０】
ここで、ＣＰＵ１０＿４７の処理手順をフローチャートを参照して説明する。
【００６１】
図４は、撮影前および撮影時にＣＰＵ１０＿４７が行なう処理の手順を示すフローチャートである。
【００６２】
このデジタルカメラ１０の電源スイッチが投入されてメニュー／ＯＫボタン１０＿９が押され液晶モニタ１０＿３０１上に表示されたメニュー画面から登録モードがユーザ操作により選択されたときにこのフローの処理が開始される。
【００６３】
まず、ステップＳ４０１で‘レリーズボタンに指を乗せてください’を、液晶モニタ１０＿３０１を備える表示部１０＿３０に表示させる（スピーカがあれば音声で撮影者に呼びかけても良い）。このステップＳ４０１の表示に応じてユーザの指がレリーズ釦１０＿４７の操作部位に乗せられたときにステップＳ４０２で、指紋センサ１０＿４Ａに指紋の検出を開始させる。このステップＳ４０２で指紋センサに検出させた指紋を表わす指紋データの検出を行なうことができなかったらＮｏ側へ進み、ステップＳ４０３で、表示部１０＿３０に‘うまく検出ができません。もう一度指を乗せてください‘を表示させてステップＳ４０２の処理を繰り返し、ステップＳ４０２で指紋データの検出が行なわれて指紋検出ＯＫとなったら指紋を表わす指紋データを取得するため、一時メモリ１０＿４７２に指紋データを記憶する。
【００６４】
そして、ステップＳ４０４へ進み、このステップＳ４０４で、表示部１０＿３０に‘ズームボタンとＯＫボタンを操作して名前一覧からあなたの名前を選択してください’を表示させて、ユーザにズームボタン１０＿８を操作させることにより名前一覧から撮影者の名前を選択させる。ステップＳ４０５でＯＫボタン１０＿９が押されたと判定したら、次のステップＳ４０６で撮影者名と指紋データとを対応づけて外部メモリ１０＿４７２に登録する。
【００６５】
そして登録が完了したら登録前のモードに自動的に復帰するようにしてあるのでステップＳ４０７でそのモードが撮影モードであるか、再生モードであるかを判定する。
【００６６】
この判定ステップＳ４０７で撮影モードであると判定したら、撮影モード側に進み、ステップＳ４０８でスルー画の表示の切替を行なう。このスルー画の表示中、ステップＳ４０９でレリーズ操作の待ち状態になって、レリーズ操作が行なわれたと判定したら、Ｙｅｓ側に進み次のステップＳ４１０で指紋センサに検出させた指紋を表わす指紋データを取得する。そして、ステップＳ４１１で、取得した指紋データと、予め登録された、多数の指紋データとを照合してその指紋と対応づけられている撮影者名を表わすデータと指紋を表わす指紋データとを記録部に転送して記録部にそれらをヘッダ情報として画像ファイルの記録を行なわせてこのフローの処理を終了する。
【００６７】
ステップＳ４０７で再生モードであると判定したら、ステップＳ４１２へ進み、ステップＳ４１２で、再生を行なうにあたってまず ‘いつもレリーズを行なう指をレリーズボタンに乗せてください’というメッセージを表示部１０＿３０に表示させている。次のステップＳ４１３で、ＣＰＵ１０＿４７が、指紋センサ１０＿４Ａに検出させた指紋を表わす指紋データを取得することができたら、Ｙｅｓ側に進みステップＳ４１４で、記録メディア１０＿５４に記録されている多数の画像ファイルのヘッダ情報の中にある、多数の指紋データを読出し、記録メディアに記録されていた指紋データと撮影時に取得した指紋データとを比較して一致するか否かを判定する。
【００６８】
このステップＳ４１４で指紋が一致する画像データがあると判定したらステップＳ４１５で指紋が一致した画像データに基づく画像の再生を行ない、指紋が一致しないと判定したらステップＳ４１６へ進み‘再生不能です’を表示してこのフローの処理を終了する。
【００６９】
このように指紋センサ１０＿４Ａを用いて撮影者ごとに画像データを分類することができるようになると、記録メディアに画像データを記録するにあたっては、記録メディア内を撮影者名が示すフォルダごとに分割してそれぞれのフォルダ領域に画像データを記録するようなことが行なえるようになるため、撮影者名をフォルダとするファイリングシステムを構成することができるようになる。
【００７０】
すなわち、家族や仲間うちでこのデジタルカメラを使い回すようなことがあっても、撮影後の画像データの管理が行ない易いデジタルカメラが実現される。
【００７１】
なお上記実施形態では、再生を行なうときに撮影した本人であった場合に画像データに基づく画像の再生をすぐに行なうようにしているが、指紋データが示す指紋を持つ撮影者が撮影した画像の数が多い場合には一度にすべての画像を表示させるという訳にはいかないので、その撮影者が撮影した画像の枚数と撮影した画像の一部をサムネイル画像の形で表示させるようにしても良い。
【００７２】
図５は、ステップＳ４１４で、指紋の照合を行なうにあたって、同一人物であるという判定を下す場合の判定例を説明する図である。
【００７３】
図５に示すように、Ａさんの指紋とＢさんの指紋とＣさんの指紋とが図５に示すように取得されていたとすると、すべての指紋を同じ範囲内で照合することは不可能である。この実施形態では、再度Ａさんの指紋を検出したときにすべての範囲で全く同じになっていなくても点線で示す範囲内の指紋データが一致すれば一致するものとして処理している。
【００７４】
図４のステップＳ４０３で、‘うまく検出することができません’というのは、後で照合するのに必要な範囲（例えば点線で示す範囲）分の指紋データが検出されていないということを示す。
【００７５】
図６は、再生モード中にメニュー／ＯＫボタン１０＿９が押されて‘画像検索モード’が選択されたときの処理手順を示すフローチャートであり、図７は、フローチャート中のステップＳ６０１にあるリスト表示の一例とステップＳ６０３の展開画面の一例を示す図である。
【００７６】
ステップＳ６０１で、記録メディア１０＿５４内の画像ファイルのヘッダ部に記録されている撮影者名を示すデータを読み取って図７に示すように記録メディア１０＿５４内に記録されている撮影者名とメモリ内に登録されている他の撮影者名をあわせてキーワードリストを表示する。次のステップＳ６０２で、探したい画像を撮影した人のキーワードがズームスイッチ１０＿８およびメニュー／ＯＫボタン１０＿９等の操作により選択されたら、ステップＳ６０３でその撮影者名に対応する画像データを検索して、図７の展開画面に示すように撮影者名の画像データが何件あるかと、その撮影者名に対応する画像データのリストを表示部に表示させる。また、メモリ１０＿４７２内にはあっても、記録メディア１０＿５４内にはない場合には、図７の展開画面に示すように‘この記録メディア内にはありません‘を表示させる。
【００７７】
図８は、指紋センサ１０＿４Ａにより検出される指紋に対応づけて記録された画像データの、他の撮影者への公開、非公開を設定する公開許否設定機能をＣＰＵ１０＿４７に持たせた場合の処理を説明する図である。図９は、図８のステップＳ４０２の処理を行なうときの操作画面を示す図である。
【００７８】
ステップＳ４１０１、Ｓ４１０２、Ｓ４１１１、Ｓ４１１２以外の処理は図４と同様である。
【００７９】
ステップＳ４１０で指紋センサ１０＿４Ａに指紋を検出させた後、ステップＳ４１０１でＳＤＲＡＭ１０＿５２にＹＣ信号になった画像データを記憶してステップＳ４１０２で図９に示すようなプレビュー画像１０＿３０１０とともに設定画面を液晶モニタ１０＿３０１上に表示させることによりにより公開・非公開を操作により設定することができるように変更している。
【００８０】
このステップＳ４１０２で例えば‘公開’側が指定されたらステップＳ４１１１へ進み、ステップＳ４１１１でヘッダ情報として指紋と撮影者名さらに‘公開’情報を画像ファイルのヘッダに追加記録させ、‘非公開’が指定されたらステップＳ４１１２へ進み、指紋と撮影者名、さらに‘非公開’情報を画像ファイルのヘッダに追加記録させる。
【００８１】
このようにしておくと、再生時に公開になっているもののみ閲覧可能となり、家族で使いまわしたり、仲間うちで使いまわしたとしても、非公開を設定しておくことで撮影した画像を人に見せないようにすることもできる。
【００８２】
また、表示部１０＿３０に記録メディア１０＿５４内にあるすべての撮影者名のリストを表示させて、それぞれの人に対して公開・非公開を設定することができるようにすることもできる。
【００８３】
図１０は、撮影者以外の複数の撮影者それぞれへの公開・非公開を設定する設定画面を示す図である。
【００８４】
図１０に示す如く液晶モニタ１０＿３０１上に撮影者名の一覧を表示してその一覧の中にある、それぞれの撮影者ごとに公開・非公開を設定するようにすることもできる。
【００８５】
ここでは、その設定を受けてＣＰＵ１０＿４７が記録部１０＿５３に‘公開’に設定された撮影者の指紋を表わす指紋データと撮影者名とを画像ファイルのヘッダにさらに追加記録させるようにしている。このようにしておくと再生時に指紋を検出するときに撮影者のみならず‘公開’が設定された撮影者についても指紋の照合が行なわれるようになる。
【００８６】
その結果、撮影者および撮影者以外であっても公開が設定された人には画像の閲覧が許可される。例えば仲間には見せても良いが、家族には見せたくないような画像があった場合には、仲間には‘公開’を設定して家族それぞれに‘非公開’を設定しておくようなことを行なえばよい。
【００８７】
なお、上記実施形態では、レリーズボタンに指紋センサを配備した例を示したが、撮影時に必然的にいずれかの指が触れる位置であればどのような位置に指紋センサを配備しても良い。
【００８８】
また、メモリ１０＿４７２内に予め記憶しておく、多数の撮影者名を名字にすると撮影者が同じ名字であるときに一度用いた撮影者名が使えなくなってしまう恐れがあるので、その撮影者を示す愛称（キーワード的なもの）になるようなものを多数用意しておくと良い。
【図面の簡単な説明】
【００８９】
【図１】本発明の撮影装置の一実施形態であるデジタルカメラ１０を斜め上から見た外観斜視図である。
【図２】図１に示すデジタルカメラ１０の回路構成を示すブロック図である。
【図３】このＪＰＥＧ圧縮されたＹＣ信号がメディアコントローラを介して記録メディアに記録されるときの指紋データと画像データとの対応を説明する図である。
【図４】撮影前および撮影時にＣＰＵ１０＿４７が行なう処理の手順を示すフローチャートである。
【図５】ステップＳ４１４で、指紋の照合を行なうにあたって、同一人物であるという判定を下す場合の判定例を説明する図である。
【図６】再生モード中にメニュー／ＯＫボタンが押されて画像検索モードが選択されたときの処理手順を示すフローチャートである。
【図７】図６に示すフローチャート中のステップＳにあるリスト表示の一例を示す図である。
【図８】指紋センサ１０＿４Ａにより検出される指紋に対応づけて記録された画像データの、他の撮影者への公開、非公開を設定する公開許否設定機能をＣＰＵ１０＿４７に持たせた場合の処理を説明する図である。
【図９】図８のステップＳ４０２の処理を行なうときの操作画面を示す図である。
【図１０】撮影者以外の複数の撮影者それぞれへの公開・非公開を設定する設定画面を示す図である。
【符号の説明】
【００９０】
１０  デジタルカメラ
１０＿４  レリーズボタン
１０＿４０    押下受け部
１０＿４Ａ    指紋センサ
１０＿４Ｂ    第１の接点
１０＿４Ｃ    第２の接点
１０＿４Ｄ    光源
１０＿４７    ＣＰＵ
１０＿４７１    プログラムメモリ
１０＿４７２    不揮発性メモリ
１０＿５０    ＡＥ検出回路
１０＿５１    ＡＦ検出回路
１０＿５３    記録部
１０＿５４    記録メディア（例えば大容量のメモリカード）
【図１】
2006238075.tif 000003
【図２】
2006238075.tif 000004
【図３】
2006238075.tif 000005
【図４】
2006238075.tif 000006
【図５】
2006238075.tif 000007
【図６】
2006238075.tif 000008
【図７】
2006238075.tif 000009
【図８】
2006238075.tif 000010
【図９】
2006238075.tif 000011
【図１０】
2006238075.tif 000012